(57)【要約】【課題】  略長方形状の表示部の縦横回転時の利便性、および作業性を十分に確保することが可能な表示装置および遮光フードを提供する。【解決手段】  本発明の表示装置は、略長方形状の表示部を縦向きから横向きに、および横向きから縦向きに回転可能に支持する支持部と、表示部の外周側面に沿って設けられた、遮光フードを固定するための溝部を備える。遮光フードの長手方向の長さは、表示部の外周側面の合計長よりも短く、表示部が横向きのときには、遮光フードが表示部の上側面と左側面と右側面に接し、かつ下側面には接しない位置に、遮光フードを静止させることが可能である。また、示部が縦向きのときには、遮光フードが表示部の上側面と、左側面の少なくとも一部と、右側面の少なくとも一部に接し、かつ下側面には接しない位置に、遮光フードを静止させることが可能である。【選択図】  図２
2013257386.tif 000002
【特許請求の範囲】
【請求項１】
略長方形状の表示部に遮光フードを取り付け可能な表示装置であって、
前記遮光フードを固定するための溝部が、外周側面に沿って設けられた略長方形状の表示部と、
前記表示部を縦向きから横向きに、および横向きから縦向きに回転可能に支持する支持部と、
を備え、
前記遮光フードの長手方向の長さは、前記表示部の外周側面の合計長よりも短く、
前記表示部が横向きのときには、前記遮光フードが前記表示部の上側面と左側面と右側面に接し、かつ下側面には接しない位置に、前記遮光フードを静止させることが可能であり、
前記表示部が縦向きのときには、前記遮光フードが前記表示部の上側面と、左側面の少なくとも一部と、右側面の少なくとも一部に接し、かつ下側面には接しない位置に、前記遮光フードを静止させることが可能であることを特徴とする表示装置。
【請求項２】
前記遮光フードが前記表示部の外周側面に沿って移動可能なように、前記表示部の上側面、下側面、左側面、および右側面の溝部のそれぞれに少なくとも１つずつ設けられた複数の回転部をさらに備えることを特徴とする請求項１に記載の表示装置。
【請求項３】
前記表示部の回転状態を検知する状態検知部と、
前記状態検知部により検知された回転状態に応じて、前記回転部を回転制御して前記遮光フードを前記表示部の外周側面に沿って移動させる制御部と、をさらに備え、
前記制御部は、
前記表示部が縦向きから横向きに回転したことが前記状態検知部により検知された場合には、前記遮光フードが前記表示部の上側面と左側面と右側面に接し、かつ下側面には接しない位置に、前記遮光フードを移動させ、
前記表示部が横向きから縦向きに回転したことが前記状態検知部により検知された場合には、前記遮光フードが前記表示部の上側面と、左側面の少なくとも一部と、右側面の少なくとも一部に接し、かつ下側面には接しない位置に、前記遮光フードを移動させることを特徴とする請求項２に記載の表示装置。
【請求項４】
遮光フードの位置を検出する位置検出部をさらに備え、
前記制御部は、前記位置検出部による検出結果に基づいて、前記遮光フードを前記表示部の外周側面に沿って移動させることを特徴とする請求項３に記載の表示装置。
【請求項５】
前記表示部に設けられ、外光の光量を検出する外光検出部をさらに備え、
前記制御部は、前記外光検出部による検出結果に基づいて、前記遮光フードを前記表示部の外周側面に沿って移動させることを特徴とする請求項３または請求項４に記載の表示装置。
【請求項６】
前記表示部の外周側面の４隅は湾曲形状であることを特徴とする請求項１から請求項５までのいずれか１項に記載の表示装置。
【請求項７】
前記回転部は、円柱形状のローラー、または球体で構成されることを特徴とする請求項２から請求項６までのいずれか１項に記載の表示装置。
【請求項８】
請求項１から請求項７までのいずれか１項に記載された表示装置に取り付け可能な遮光フードであって、
弾性を有する弾性部と、
前記弾性部よりも高い剛性を有する剛体部と、
前記剛体部に設けられ、前記表示部の溝部に嵌合する突起部と、を備え、
前記弾性部と前記剛体部は、前記遮光フードの長手方向に沿って交互に連結されることを特徴とする遮光フード。
【請求項９】
前記遮光フードの長手方向の両端のそれぞれに、折り曲げ可能な端部が設けられ、
前記表示部が横向きのときには、前記端部を折り曲げた状態で固定可能であることを特徴とする請求項８に記載の遮光フード。
【請求項１０】
前記弾性部と前記剛体部の１組の前記遮光フードの長手方向の長さは、表示部の上側面または下側面の長さと、左側面または右側面の長さとの公約数であることを特徴とする請求項８または請求項９に記載の遮光フード。
【発明の詳細な説明】
【技術分野】
【０００１】
本発明は、遮光フードを取り付け可能な表示装置および遮光フードに関する。
【背景技術】
【０００２】
液晶ディスプレイやプラズマディスプレイなどの表示装置の表示面に、自然光や照明光などの外光が当たると、表示面に表示される画像が見え難くなることがある。このため、表示面に外光が入り込むことを防止する遮光フードが用いられる。遮光フードは表示装置の取り扱いに応じて様々な形態で使用されることがあるため、様々な形状の遮光フードが提案されている。
【０００３】
特許文献１には、表示装置の表示部の上側面および左右側面に折り畳み式の遮光フードを取り付け、一箇所の操作で遮光フード全体の開閉動作を行うことができる遮光フードが開示されている。また、特許文献２には、遮光フードがレンズ先端の外周全てを覆う構造で、カメラの姿勢を縦向きまたは横向きに切り替える際に、レンズ先端に取り付けた遮光フードを適した形状に変更する構成が開示されている。
【先行技術文献】
【特許文献】
【０００４】
【特許文献１】特開２００６−１７３７２５号公報
【特許文献２】特開２００２−２５８３５５号公報
【発明の概要】
【発明が解決しようとする課題】
【０００５】
近年、表示装置は大型化および薄型化が図られている。また、表示装置の略長方形状の表示部を縦向きから横向きに、または横向きから縦向きに９０度回転させて使用することがあり、このような用途に対応した遮光フードが求められている。
【０００６】
従来は、縦向き専用の遮光フード、横向き専用の遮光フードを使用したり、表示装置の表示部の外周全てを覆う遮光フードを使用したりしていた。しかし、縦向き専用の遮光フード、横向き専用の遮光フードを使用すると、表示部を回転させる度に遮光フードを取り外したり、取り付けたりする手間がかかるため利便性がよくない。また、表示装置の表示部の外周全てを覆う遮光フードを使用すると、表示装置の近傍で作業する場合には遮光フードが邪魔になってしまい作業性がよくない。特に、大型の表示装置を用いて医療診断や画像編集作業をする場合などは、作業者が表示装置の近傍で作業し、表示画面の下側前方を作業スペースとして活用することがあるため、表示装置の表示部の外周全てを覆う遮光フードを使用すると作業性に問題が生じる。
【０００７】
上記特許文献１では、表示部の縦横回転に対応した構造を開示していないため、表示部を回転させる場合には利便性が十分ではない。また、表示部の薄型化に伴い遮光フードの折り畳み量が制限されてしまうという課題もある。
【０００８】
上記特許文献２は、遮光フードがレンズ先端の外周全てを覆う構造を開示しているが、表示装置の表示部の外周全てを覆う遮光フードを使用すると、表示装置の近傍で作業する場合には遮光フードが邪魔になってしまい作業性がよくない。また、遮光フードを構成する４枚の板の長さが固定であるため、上下の板の間隔を変えたり、左右の板の間隔を変えたりした場合、遮光フードの角部分で板が出っ張って邪魔になるため作業性に問題がある。また、遮光フードの外観的なデザイン性も十分ではない。
【０００９】
そこで、本発明は、略長方形状の表示部の縦横回転時の利便性、および作業性を十分に確保することが可能な表示装置および遮光フードを実現することを目的とする。
【課題を解決するための手段】
【００１０】
上述した課題を解決するために、本発明に係る表示装置は、略長方形状の表示部に遮光フードを取り付け可能な表示装置であって、前記遮光フードを固定するための溝部が、外周側面に沿って設けられた略長方形状の表示部と、前記表示部を縦向きから横向きに、および横向きから縦向きに回転可能に支持する支持部とを備える。そして、前記遮光フードの長手方向の長さは、前記表示部の外周側面の合計長よりも短く、前記表示部が横向きのときには、前記遮光フードが前記表示部の上側面と左側面と右側面に接し、かつ下側面には接しない位置に、前記遮光フードを静止させることが可能であり、前記表示部が縦向きのときには、前記遮光フードが前記表示部の上側面と、左側面の少なくとも一部と、右側面の少なくとも一部に接し、かつ下側面には接しない位置に、前記遮光フードを静止させることが可能であることを特徴とする。
【００１１】
本発明に係る遮光フードは、前記表示装置に取り付け可能な遮光フードであって、伸縮性を有する弾性部と、前記遮光フードの剛体となる剛体部と、前記剛体部に設けられ、前記表示部の溝部に嵌合する突起部と、を備える。そして、前記弾性部と前記剛体部は、前記遮光フードの長手方向に沿って交互に連結されることを特徴とする。
【発明の効果】
【００１２】
本発明によれば、略長方形状の表示部の縦横回転時の利便性、および作業性を十分に確保することが可能な表示装置および遮光フードを実現することが可能となる。
【図面の簡単な説明】
【００１３】
【図１】本発明の実施の形態１に係る表示装置の構造を模式的に示した斜視図である。
【図２】本発明の実施形態１に係る表示装置の表示部および遮光フードの構造を模式的に示した図である。
【図３】表示装置の表示部を縦向きにした状態を示す斜視図である。
【図４】本発明の実施の形態２に係る表示装置の制御系の機能ブロック構成を示すブロック図である。
【図５】表示装置の表示部を横向きから縦向きに回転させた場合の様子を示す図である。
【図６】状態検知部、制御部、および位置検出部の動作について説明するためのフロー図である。
【図７】本発明の実施の形態３に係る表示装置の制御系の機能ブロック構成を示すブロック図である。
【図８】外光量に応じて遮光フードを適切な位置へ移動させる位置調整について説明するための図である。
【図９】状態検知部、制御部、位置検出部、外光検出部（左）、および外光検出部（右）の動作について説明するためのフロー図である。
【発明を実施するための形態】
【００１４】
（実施の形態１）
以下、図面を用いて本発明の実施の形態１について説明する。
【００１５】
図１は、本発明の実施の形態１に係る表示装置１００の構造を模式的に示した斜視図である。表示装置１００は、画像を表示することができる液晶ディスプレイやプラズマディスプレイ、有機ＥＬディスプレイなどである。この表示装置１００は、略長方形状の表示部１１と、表示部１１を縦向きから横向きに、および横向きから縦向きに回転可能に支持する支持部１６とを備える。なお、図１では支持部１６として据置用のスタンドを例示しているか、スタンドの代わりに壁掛け設置部材などを用いてもよい。
【００１６】
表示部１１は、液晶パネルなどの表示面１３と、表示面１３を固定する枠状のフロントベゼル１４と、フロントベゼル１４の背面側に設けられるリアカバー１５とを備える。フロントベゼル１４とリアカバー１５は、外装カバー１２を構成する。外装カバー１２は、
ＡＢＳ（アクリロニトリル、ブタジエン、スチレン）樹脂材、または鉄やアルミを主とする金属材などで形成されるのが好ましい。表示部１１は、外装カバー１２の内部に、光学シート、バックライト、拡散板、電源回路や駆動回路などの各種電気回路基板などを備えている。
【００１７】
外装カバー１２は、表示面１３への外光の入り込みを防止する遮光フード１１０を取り付けるための溝部１０１を備える。溝部１０１は、外装カバー１２の外周側面に沿って、フロントベゼル１４とリアカバー１５の継ぎ目部分に形成され、遮光フード１１０を固定する。遮光フード１１０の移動自由度を上げるため、溝部１０１は外装カバー１２の外周側面の全周にわたって形成すること、および表示部１１の外装カバー１２の外周側面の４隅は湾曲形状であることが好ましい。遮光フード１１０が外装カバー１２の外周側面に沿って移動可能なように、外装カバー１２の外周側面を構成する上下左右側面の溝部１０１複数の回転部１０２が設けられている。回転部１０２として、回転可能な回転体を用いる。円柱形状のローラーを用いるのが好ましいが、球体を用いてもよい。本実施形態では、円柱形状のローラーの直径は例えば１０ｍｍ程度とし、ローラーの長さは溝部１０１の幅よりも少し短いものを用いる。ローラーには、例えばＰＯＭ（ポリアセタール）樹脂を用いる。なお、溝部１０１に回転部１０２を配置せずに、溝部１０１自体を摺動可能な部材や形状で構成してもよい。例えば、溝部１０１を鏡面加工で仕上げることにより摺動性を持たせる。
【００１８】
図２は、本発明の実施形態１に係る表示装置１００の表示部１１および遮光フード１１０の構造を模式的に示した図である。図２（ａ）は、表示装置１００の表示部１１を横向きにして遮光フード１１０を取り付けた状態を示す斜視図である。図２（ｂ）は、遮光フード１１０の一部を拡大した部分拡大図である。図２（ｃ）は、表示部１１に遮光フード１１０を取り付けた状態を示す断面図である。
【００１９】
医療診断や画像編集作業をする場合などは、作業者が表示装置１００の近傍で作業し、表示部１１の下側前方を作業スペースとして活用することがあるため、遮光フード１１０は表示部１１の下側前方にはない方が作業性がよい。このため、遮光フード１１０の長手方向の長さは、表示部１１の外周側面の合計長よりも短いものとする。略長方形状の表示部１１を縦向きから横向きに、または横向きから縦向きに９０度回転させる場合、遮光フード１１０の端部１１０ａ，１１０ｂを折り曲げたり伸ばしたりすることで、遮光フード１１０の長さが調節可能なようになっている。図２（ａ）に示すように、表示部１１が横向きのときには、遮光フード１１０の端部１１０ａ，１１０ｂを折り曲げて使用する。遮光フード１１０の端部１１０ａ，１１０ｂには、マジックテープ（登録商標）などの接着部材が設けられており、端部１１０ａ，１１０ｂが折り曲げられた状態で固定される。
【００２０】
このように、表示部１１が横向きのときには、遮光フード１１０が表示部１１の外装カバー１２の上側面と左側面と右側面に接し、かつ下側面には接しないよう位置に、遮光フード１１０を固定可能な構造になっている。また、遮光フード１１０の端部１１０ａ，１１０ｂを折り曲げたときの遮光フード１１０の長手方向の長さは、表示部１１の外装カバー１２の上側面と左側面と右側面の溝部１０１の合計長と略等しい。
【００２１】
次に、遮光フード１１０について詳細に説明する。図２（ｂ）に示すように、遮光フード１１０は、剛性が高く遮光フード自体の強度を担う剛体部１１１と、弾性を有する弾性部１１２と、表示部１１の溝部１０１に嵌合する突起部１１３とを備える。例えば、剛体部１１１と突起部１１３は、ＡＢＳ樹脂材などを用い、弾性部１１２は、伸縮性（柔軟性）を有するゴム材（弾性材）などを用いる。剛体部１１１は、弾性部１１２よりも高い剛性を有する。剛体部１１１と弾性部１１２は、圧着や接着などの結合手法を用いて結合され、遮光フード１１０の長手方向に沿って交互に連結されている。剛体部１１１と弾性部１１２の厚みは１〜１０ｍｍ程度で形成することが望ましい（本実施形態では約３ｍｍ）。剛体部１１１と弾性部１１２と突起部１１３を１組とし、この組み合わせが何組も連結され、遮光フード１１０が形成される。剛体部１１１と弾性部１１２と突起部１１３の１組の遮光フード１１０の長手方向の長さＡは、表示部１１の上側面または下側面（長辺）の長さと、左側面または右側面（短辺）の長さとの公約数とするのが好ましい。例えば、表示部１１が横向きのときの長辺を６００ｍｍ、短辺を４００ｍｍとし、剛体部１１１と弾性部１１２と突起部１１３の１組の遮光フード１１０の長手方向の長さＡを５０ｍｍとして３２組連ねることで、縦向きおよび横向きに対応できる。また、遮光フード１１０の弾性部１１２は柔軟性があるため、弾性部１１２の部分で折り畳むことができ、表示部１１から取り外した際にはコンパクトに収納できる。
【００２２】
表示面１３を遮光するための遮光フード１１０の飛び出し量は、表示部１１および表示面１３の大きさに依存する（本実施形態では、飛び出し量を例えば２５０ｍｍとする）。遮光フード１１０の飛び出し量は、遮光フード１１０の長手方向の端側ほど小さくなるようにしている。外光が上方から表示面１３に入り込むことが多いため、遮光フード１１０の長手方向の端側の飛び出し量が小さくても、外光が表示面に当たらない。また、作業者が表示装置１００の近傍で作業し、表示部１１の下側前方を作業スペースとして活用することがあるため、遮光フード１１０の長手方向の端側の飛び出し量が小さい方が、作業性がよい。
【００２３】
図２（ｃ）に示すように、遮光フード１１０の突起部１１３が、表示部１１の外装カバー１２の溝部１０１に嵌合されて、遮光フード１１０が表示部１１に固定される。遮光フード１１０の突起部１１３が、表示部１１の溝部１０１および回転部１０２に接して摺動する。回転部１０２が自在に回転することで、遮光フード１１０が外装カバー１２の外周側面に沿って移動可能な構造になっている。
【００２４】
次に、表示部１１を横向きから縦向きに回転させた場合について説明する。図３は、表示装置１００の表示部１１を縦向きにした状態を示す斜視図である。図３（ａ）は、表示部１１が縦向きで、遮光フード１１０を横向き用の位置から縦向き用の位置に移動する前の状態を示す。図３（ｂ）は、表示部１１が縦向きで、遮光フード１１０を横向き用の位置から縦向き用の位置に移動した後の状態を示す。本実施形態では、作業者が手動で遮光フード１１０を移動させる。
【００２５】
図３（ｂ）に示すように、表示部１１が縦向きのときには、遮光フード１１０が表示部１１の外装カバー１２の上側面と左側面と右側面に接し、かつ下側面には接しない位置に、遮光フード１１０を静止させることが可能な構造になっている。また、遮光フード１１０の端部１１０ａ，１１０ｂを伸ばしたときの遮光フード１１０の長手方向の長さは、表示部１１の外装カバー１２の上側面と左側面と右側面の溝部１０１の合計長と略等しい。
【００２６】
なお、遮光フード１１０の端部１１０ａ，１１０ｂは、遮光フード１１０から取り外せる構造になっていてもよい。また、遮光フード１１０の端部１１０ａ，１１０ｂには、突起部１１３を設けなくてもよい。また、適宜ストッパーを設け、遮光フード１１０が最適位置になる構造を設けたり、脱落防止機能を追加したりしてもよい。
【００２７】
また、表示部１１を縦向きから横向きに回転させる場合は、遮光フード１１０を反対方向に移動させることで、図３（ｂ）に示した状態から図２（ａ）に示した状態になる。溝部１０１は外装カバー１２の外周側面の全周にわたって形成しているため、表示部１１を右回りに回転させても左回りに回転させても、遮光フード１１０を適切な位置に移動させることができる。
【００２８】
したがって、この実施の形態１では、略長方形状の表示部の縦横回転時の利便性、および作業性を十分に確保することが可能な表示装置および遮光フードを実現することができる。具体的には、縦向き専用の遮光フード、横向き専用の遮光フードを使用していた従来に比べて、表示部の縦横回転に対応した遮光フードを使用することにより、表示部の縦横回転時の利便性が向上する。また、表示装置の近傍で作業する場合にも遮光フードが邪魔になることなく、作業者が表示画面の下側前方を作業スペースとして活用することができ作業性が十分に確保できる。また、表示部を回転させる場合に、遮光フードを一旦取り外すことなく、遮光フードの移動を簡便に行うことができるとともに、効果的な遮光効果が得られる。さらに、遮光フードの外観的なデザイン性も優れている。
【００２９】
（実施の形態２）
以下、図面を用いて本発明の実施の形態２について説明する。実施の形態２は、実施の形態１に対し、表示部の縦横回転に応じて自動的に回転部を回転制御する機能を追加した点で異なる。
【００３０】
図４は、本発明の実施の形態２に係る表示装置２００の制御系の機能ブロック構成を示すブロック図である。図５は、表示装置２００の表示部２１１を横向きから縦向きに回転させた場合の様子を示す図である。図５（ａ）は、表示部２１１を横向きから縦向きに回転させる前の状態を示す。図５（ｂ）は、表示部２１１を横向きから縦向きに回転させた直後で、遮光フード１１０が横向き用の位置から縦向き用の位置に移動する前の状態を示す。５（ｃ）は、表示部２１１が縦向きで、遮光フード１１０が横向き用の位置から縦向き用の位置に移動した後の状態を示す。実施の形態２において、実施の形態１と同一の構成要素ついては同一の符号を付し、その詳細な説明は繰り返さない。
【００３１】
表示装置２００は、略長方形状の表示部２１１と、実施の形態１で示した支持部１６とを備える。表示部２１１は、実施の形態１で示した表示面１３と、外装カバー１２（フロントベゼル１４とリアカバー１５で構成される）を備える。外装カバー１２には、遮光フード１１０を取り付けるための溝部１０１および回転部１０２が設けられている。
【００３２】
また、表示装置２００は、状態検知部２２０、制御部２２１、および位置検出部２２３を備える。本実施の形態では、状態検知部２２０、制御部２２１、および位置検出部２２３は、表示装置２００の表示部２１１に設けられている。また、遮光フード２１０には、位置検出用の金属部材２３１，２３２が２つずつ設けられている。ただし、金属性の部材でなくても、位置検出することが可能な物体であれば何でもよい。
【００３３】
状態検知部２２０は、表示部２１１が横向き状態であるか縦向き状態であるかを検知する。状態検知部２２０としては、重力センサ（加速度センサ）、方位センサ、ジャイロセンサなどが用いられる。状態検知部２２０は、表示部２１１の向き（回転状態）を制御部２２１に伝達する。制御部２２１は、状態検知部２２０による検知結果に基づいて、回転部１０２の回転制御を行い、遮光フード２１０を表示部２１１の外装カバー１２の外周側面に沿って移動させる。位置検出部２２３は、遮光フード２１０の位置を検出し、制御部２２１に伝達する。制御部２２１は、位置検出部２２３による検出結果に基づいて、回転部１０２の回転制御を行い、遮光フード２１０の移動量を調整する。例えば、モーターで回転制御可能な電動ローラーなどを用いことで、制御部２２１による回転部１０２の回転制御が可能である。なお、回転部１０２を構成する全ての回転体に電動ローラーを用いる必要はなく、所定間隔で電動ローラーを配置して、それ以外は通常のローラーで構成してもよい。また、所定間隔で電動ローラーを配置して、それ以外は溝部１０１を鏡面加工することで溝部１０１自体を摺動可能な部材や形状で構成するようにしてもよい。電動ローラーは、溝部１０１の上側面、下側面、左側面、右側面のそれぞれに少なくとも１つずつ設けられる。
【００３４】
位置検出部２２３は、表示部２１１の外装カバー１２を構成する枠状のフロントベゼル１４の４隅に配置することが望ましい。本実施の形態では、遮光フード２１０に位置検出用の金属部材２３１，２３２を設け、互いに異なる材質の金属部材２３１と金属部材２３２を用いることで、遮光フード２１０が縦向き用の位置にあるか、横向き用の位置にあるかを検出する。制御部２２１は、表示部２１１が横向きのときには、表示部２１１の上側面の両端に金属部材２３１が位置するように、遮光フード２１０の位置を調整する。また、制御部２２１は、表示部２１１が縦向きのときには、表示部２１１の上側面の両端に金属部材２３２が位置するように、遮光フード２１０の位置を調整する。
【００３５】
なお、位置検出部２２３として距離センサなどを用い、遮光フード２１０がどこに位置するかを検出する構成であってもよい。この場合は、遮光フード２１０に金属部材２３１，２３２を設ける必要はない。また、遮光フード１１０の端部１１０ａ，１１０ｂを折り曲げたり、伸ばしたりする作業は、作業者が手動で行う。
【００３６】
図６は、状態検知部２２０、制御部２２１、および位置検出部２２３の動作について説明するためのフロー図である。ステップＳ６０１で、状態検知部２２０は、作業者によって表示部２１１が横向きから縦向きに９０度回転されたか否かを検知する。表示部２１１が横向きから縦向きに９０度回転された場合、ステップＳ６０２に進み、状態検知部２２０は、表示部２１１が右回り（前面側から見て右回り）に９０度回転されたか否かを検知する。表示部２１１が右回りに９０度回転された場合、ステップＳ６０３に進み、制御部２２１は、回転部１０２を左回り（前面側から見て左回り）に回転制御する。続いて、ステップＳ６０４に進み、制御部２２１は、位置検出部２２３による遮光フード２１０の位置検出結果に基づいて、遮光フード２１０を縦向き位置まで移動させる。
【００３７】
ステップＳ６０２で、状態検知部２２０により、表示部２１１が左回り（前面側から見て左回り）に９０度回転されたことが検知された場合、ステップＳ６０５に進む。ステップＳ６０５で、制御部２２１は、回転部１０２を右回り（前面側から見て右回り）に回転制御する。続いて、ステップＳ６０６に進み、制御部２２１は、位置検出部２２３による遮光フード２１０の位置検出結果に基づいて、遮光フード２１０を縦向き位置まで移動させる。
【００３８】
ステップＳ６０１で、状態検知部２２０により、表示部２１１が横向きから縦向きに９０度回転されていないと検知された場合、ステップＳ６０７に進む。ステップＳ６０７で、状態検知部２２０は、作業者によって表示部２１１が縦向きから横向きに９０度回転されたか否かを検知する。表示部２１１が縦向きから横向きに９０度回転された場合、ステップＳ６０８に進み、状態検知部２２０は、表示部２１１が右回り（前面側から見て右回り）に９０度回転されたか否かを検知する。表示部２１１が右回りに９０度回転された場合、ステップＳ６０９に進み、制御部２２１は、回転部１０２を左回り（前面側から見て左回り）に回転制御する。続いて、ステップＳ６１０に進み、制御部２２１は、位置検出部２２３による遮光フード２１０の位置検出結果に基づいて、遮光フード２１０を縦向き位置まで移動させる。
【００３９】
ステップＳ６０８で、状態検知部２２０により、表示部２１１が左回り（前面側から見て左回り）に９０度回転されたことが検知された場合、ステップＳ６１１に進む。ステップＳ６１１で、制御部２２１は、回転部１０２を右回り（前面側から見て右回り）に回転制御する。続いて、ステップＳ６１２に進み、制御部２２１は、位置検出部２２３による遮光フード２１０の位置検出結果に基づいて、遮光フード２１０を縦向き位置まで移動させる。
【００４０】
なお、ステップＳ６０７で、状態検知部２２０により、表示部２１１が縦向きから横向きに９０度回転されていないことが検知された場合、ステップＳ６０１に戻る。つまり、表示部２１１が縦向きから横向きに、若しくは横向きから縦向きに９０度回転されない場合は、制御部２２１は、遮光フード２１０を移動させる制御を行わない。このため、３０度回転した場合や４５度回転した場合などは、遮光フード２１０は移動しない。
【００４１】
以上のように、この実施の形態２では、実施の形態１と同様の効果が得られるとともに、遮光フードを作業者が手動で移動させる手間を省くことができ、作業者の利便性がさらに向上する。
【００４２】
（実施の形態３）
以下、図面を用いて本発明の実施の形態３について説明する。実施の形態３は、実施の形態２と比較して、検出される外光量に応じて遮光フードの位置を調整する機能を追加した点で異なる。遮光フードの端部を取り外したまま使用する場合や、端部を折り曲げたまま使用する場合など、遮光フードを横向き用の長さに固定して使用する場合、外光量に応じて遮光フードを適切な位置へ移動させる位置調整が行われる。
【００４３】
図７は、本発明の実施の形態３に係る表示装置３００の制御系の機能ブロック構成を示すブロック図である。図８は、外光量に応じて遮光フードを適切な位置へ移動させる位置調整について説明するための図である。図８（ａ）は、表示装置３００の表示部３１１を縦向きにした状態で、検出される外光量に応じて遮光フードの位置が調整される前の様子を示す図である。図８（ｂ）は、表示部３１１を縦向きにした状態で、検出される外光量に応じて遮光フードの位置が調整された後の様子を示す図である。実施の形態３において、実施の形態２と同一の構成要素ついては同一の符号を付し、その詳細な説明は繰り返さない。
【００４４】
表示装置３００は、略長方形状の表示部３１１と、実施の形態１で示した支持部１６とを備える。表示部３１１は、実施の形態１で示した表示面１３と、外装カバー１２（フロントベゼル１４とリアカバー１５で構成される）を備える。外装カバー１２には、遮光フード２１０を取り付けるための溝部１０１および回転部１０２が設けられている。
【００４５】
また、表示装置３００は、状態検知部２２０、制御部３２１、位置検出部２２３、外光検出部（左）３２３、および外光検出部（右）３２４を備える。本実施の形態では、状態検知部２２０、制御部３２１、位置検出部２２３、外光検出部（左）３２３、および外光検出部（右）３２４は、表示装置３００の表示部３１１に設けられている。外光検出部（左）３２３、および外光検出部（右）３２４は、外装カバー１２のフロントベゼル１４に配置する。
【００４６】
図８（ａ）に示すように、遮光フード２１０の端部を取り外したまま使用する場合、遮光フード２１０が表示部３１１の上側面と、左側面の一部と、右側面の一部に接し、かつ下側面には接しない位置に、前記遮光フードが静止されている。遮光フード２１０の長さは横向き用の長さなので、表示部３１１が縦向きの状態では遮光フード２１０の長さが足りず、外光が表示面に入り込むことがある。このため、本実施の形態では、表示部３１１が縦向きのときには外光の向きと量を識別し、遮光フード２１０を適切な位置に移動させる位置調整を行う。
【００４７】
外光検出部（左）３２３、および外光検出部（右）３２４は、図８（ａ）に示すように、表示部３１１が縦向きの状態で、表示部３１１の左右の下側に設けるのが望ましい。外光検出部としては、輝度センサなどが用いられる。外光検出部（左）３２３、および外光検出部（右）３２４は、それぞれ検出した外光量を制御部３２１に伝達する。なお、表示部３１１の左右の上側にも外光検出部を設けてもよい。左上方から外光が表示部３１１の表示面に入り込む場合、図８（ｂ）に示すように、表示面の左側をもっと遮光するために、遮光フード２１０を左側に移動する位置調整が行われる。
【００４８】
図９は、実施の形態３における状態検知部２２０、制御部３２１、位置検出部２２３、外光検出部（左）３２３、および外光検出部（右）３２４の動作について説明するためのフロー図である。ステップＳ９０１で、状態検知部２２０は、表示装置３００の表示部３１１が縦向きの状態か否かを検知する。表示部２１１が縦向きの場合は、ステップＳ９０２に進み、制御部３２１は、外光検出部（左）３２３および外光検出部（右）３２４により検出される外光量を取得する。そして、外光検出部（左）３２３により検出された表示部３１１の左側の外光量と、外光検出部（右）３２４により検出された表示部３１１の右側の外光量とを比較し、左側の外光量が右側の外光量よりも大きいか否かを判定する。左側の外光量が右側の外光量よりも大きい場合は、ステップＳ９０３に進み、制御部３２１は、回転部１０２を左回り（前面側から見て左回り）に回転制御する。続いて、ステップＳ９０４に進み、制御部３２１は、外光検出部（左）３２３および外光検出部（右）３２４により検出される外光量を継続的に取得し、表示部３１１の左側の外光量と右側の外光量とが等しくなるまで、遮光フード２１０を移動させる位置調整を行う。
【００４９】
ステップＳ９０２で、表示部３１１の左側の外光量が右側の外光量よりも大きくないと判定された場合、ステップＳ９０５に進み、制御部３２１は、左側の外光量が右側の外光量よりも小さいか否かを判定する。左側の外光量が右側の外光量よりも小さい場合は、ステップＳ９０６に進み、制御部３２１は、回転部１０２を右回り（前面側から見て右回り）に回転制御する。続いて、ステップＳ９０７に進み、制御部３２１は、外光検出部（左）３２３および外光検出部（右）３２４により検出される外光量を継続的に取得し、表示部３１１の左側の外光量と右側の外光量とが等しくなるまで、遮光フード２１０を移動させる位置調整を行う。
【００５０】
以上のように、この実施の形態３では、実施の形態２と同様の効果が得られるとともに、検出される外光量に応じて遮光フードが適切な位置に調整されるので、作業者の利便性がさらに向上する。具体的には、遮光フードの端部を取り外したまま使用する場合や、端部を折り曲げたまま使用する場合など、遮光フードを横向き用の長さに固定して使用する場合に、外光量に応じて遮光フードを適切な位置へ移動させる位置調整が行われる。よって、遮光フードの長さが短くても、表示面に入り込む外光量を抑えることができる。
【符号の説明】
【００５１】
１１  表示部
１２  外装カバー
１３  表示面
１４  フロントベゼル
１５  リアカバー
１６  支持部
１００  表示装置
１０１  溝部
１０２  回転部
【図１】
2013257386.tif 000003
【図２】
2013257386.tif 000004
【図３】
2013257386.tif 000005
【図４】
2013257386.tif 000006
【図５】
2013257386.tif 000007
【図６】
2013257386.tif 000008
【図７】
2013257386.tif 000009
【図８】
2013257386.tif 000010
【図９】
2013257386.tif 000011